(57)【要約】      （修正有）【課題】ネジ穴合わせが簡単にできる壁取付け用コンセント器具及びスイッチ器具を提供する。【解決手段】Ｃ型はさみ金具の下側ネジ取付け穴にストッパ付取付けガイド紐を取付ける。【選択図】図１
0003170688.tif 000002
【実用新案登録請求の範囲】
【請求項１】
コンセント器具を壁に取付ける工事において、コンセントに取付けたコンセント取付け金具と壁の内側に取付けてコンセント取付け金具を固定するＣ型はさみ金具のネジ穴合わせを容易にするためのストッパ付取付けガイド紐をＣ型はさみ金具のネジ穴部に取付けた、壁取付け用コンセント器具。
【請求項２】
スイッチ器具を壁に取付ける工事において、スイッチを取付けたスイッチ取付け金具と壁の内側に取付けてスイッチ取付け金具を固定するＣ型はさみ金具のネジ穴合わせを容易にするためのストッパ付取付けガイド紐をＣ型はさみ金具のネジ穴部に取付けた、壁取付け用スイッチ器具。
【考案の詳細な説明】
【技術分野】
【０００１】  本考案は、石膏ボード等の壁取付け用コンセント器具及びスイッチ器具に関するものである。
【背景技術】
【０００２】  壁取付け用コンセント器具を壁に取付ける工事において、コンセントに取付けたコンセント取付け金具と壁の内側に入ってコンセント取付け金具とネジ止めで固定されるＣ型はさみ金具をネジ止めする場合に、従来はＣ型はさみ金具のネジ止め位置を手探りで探していたため、取付けに時間がかかっていた。
また、スイッチ器具においてもスイッチ取付け金具とＣ型はさみ金具とでスイッチ器具を壁に取付ける場合にも同様の問題があった。
【考案の概要】
【考案が解決しようとする課題】
【０００３】  従来、壁取付け用コンセント器具を壁に取付ける工事において、コンセントに取付けたコンセント取付け金具と壁の内側に入ってコンセント取付け金具とネジ止めで固定されるＣ型はさみ金具をネジ止めする場合に、Ｃ型はさみ金具のネジ止め位置を手探りで探していたため、取付けに時間がかかっていたので、それを解決するためＣ型はさみ金具にストッパ付取付けガイド紐を取付けてその紐を引くだけでネジ穴合わせが簡単にできる壁取付け用コンセント器具を提供する。
また、スイッチ器具を壁に取付ける工事において、スイッチ取付け金具とＣ型はさみ金具とでスイッチ器具を壁に取付ける場合は、コンセント器具と同様にＣ型はさみ金具にストッパ付取付けガイド紐を取付けてその紐を引くだけでネジ穴合わせが簡単にできる壁取付け用スイッチ器具を提供する。
【課題を解決するための手段】
【０００４】  請求項１は、コンセント器具を壁に取付ける工事において、コンセントに取付けたコンセント取付け金具と壁の内側に取付けてコンセントを固定するＣ型はさみ金具のネジ穴合わせを容易にするためのストッパ付取付けガイド紐をＣ型はさみ金具のネジ穴部に取付けた、壁取付け用コンセント器具である。
請求項２は、スイッチ器具を壁に取付ける工事において、スイッチを取付けたスイッチ取付け金具と壁の内側に取付けてスイッチ器具を固定するＣ型はさみ金具のネジ穴合わせを容易にするためのストッパ付取付けガイド紐をＣ型はさみ金具のネジ穴部に取付けた、壁取付け用スイッチ器具である。
【考案の効果】
【０００５】  従来、コンセント器具を壁に取付ける工事において、コンセントに取付けたコンセント取付け金具と壁の内側に取付けてコンセント器具を固定するＣ型はさみ金具のネジ止め位置を求めるのに手探りで探していたため、取付けに時間がかかっていたが、Ｃ型はさみ金具のネジ穴部にストッパ付取付けガイド紐を取付けてその紐を手繰り寄せるだけでネジ穴合わせができるので、コンセント器具の取り付け時間が著しく短縮される。
また、スイッチ器具を壁に取付ける工事において、スイッチ取付け金具とＣ型はさみ金具とでスイッチ器具を取付ける場合にも同様の問題があり、Ｃ型はさみ金具のネジ穴部にストッパ付取付けガイド紐を取付けてその紐を手繰り寄せるだけでネジ穴合わせができるので、スイッチ器具の取付け時間が著しく短縮される。
【図面の簡単な説明】
【０００６】
【図１】本考案のコンセント器具の分解斜視図
【図２】本考案のコンセント器具を壁に取り付けた状態を示す図
【図３】本考案のスイッチ器具の分解図
【図４】本考案のスイッチ器具を壁に取り付けた状態を示す図
【考案を実施するための形態】
【０００７】  請求項１のコンセント器具の構造を図１により説明する。
コンセント（１）に取付けられたコンセント取付け金具Ａ（２）及びコンセント取付け金具Ｂ（３）と、壁（８）の内側に取付けるＣ型はさみ金具（４）の取付けネジ（７）のネジ穴合わせを容易にするための、先端にストッパ（５）を取付けた取付けガイド紐（６）をＣ型はさみ金具（４）の下側ネジ取付け穴（４ｂ）部に取付けた、壁取付け用コンセント器具である。
尚、Ｃ型はさみ金具（４）の上側ネジ取付け穴（４ａ）及び下側ネジ取付け穴（４ｂ）は、ネジ穴である。
【０００８】  本考案のコンセント器具を壁（８）に取付ける場合、コンセント（１）とコンセント取付け金具Ａ（２）及びコンセント取付け金具Ｂ（３）をネジ止めにより組付けた状態とした上、上側の取り付けネジ（７）をコンセント取付け金具Ａ（２）の長穴（２ａ）を通してＣ型はさみ金具（４）の上側ネジ取付け穴（４ａ）にねじ込んで仮止めし、Ｃ型はさみ金具（４）の下側ネジ取付け穴（４ｂ）に、先端にストッパ（５）を取付けた取付けガイド紐（６）を取付け、ストッパ（５）をコンセント取付け金具Ｂ（３）の長穴（３ａ）に内側から通して取付けガイド紐（６）を外側に引き出しておく。ストッパ（５）は柔軟性のある素材で、長穴（３ａ）の巾よりも少しだけ大きくしてあるので入れる時は簡単に入るが抜けることがない。その上で壁（８）に明けた穴にＣ型はさみ金具（４）を壁（８）の内側に入れてコンセント取付け金具Ａ（２）及びコンセント取付け金具Ｂ（３）とで壁を挟み込むようにし、位置を調整してから上側の取り付けネジ（７）をある程度締めておく。次に外側に引き出しておいたストッパ（５）を引っ張って取付けガイド紐（６）を目一杯引き出す。これによりＣ型はさみ金具（４）の下側ネジ取付け穴（４ｂ）がコンセント取付け金具Ｂ（３）の長穴（３ａ）の真中にくるので取付けネジ（７）を簡単に取付けることができる。後は上下の取付けネジ（７）を完全に締めて壁（８）に固定する。ストッパ（５）を取付けた取付けガイド紐（６）は、コンセント器具の上からカバーを取付けるのでそのままにしておいても差し支えない。（図２）
【０００９】  次に請求項２のスイッチ器具の構造を図３により説明する。
スイッチ（１１）を取付けたスイッチ取付け金具（１２）と、壁（８）の内側に取付けるＣ型はさみ金具（１３）の取付けネジ（１６）のネジ穴合わせを容易にするための、先端にストッパ（１４）を取付けた取付けガイド紐（１５）をＣ型はさみ金具（１３）の下側ネジ取付け穴（１３ｂ）部に取付けた、壁取付け用スイッチ器具である。
尚、Ｃ型はさみ金具（１３）の上側ネジ取付け穴（１３ａ）及び下側ネジ取付け穴（１３ｂ）はネジ穴である。
【００１０】  スイッチ（１１）を取付けたスイッチ取付け金具（１２）の上部の長穴（１２ａ）に取付けネジ（１６）を通してＣ型はさみ金具（１３）の上側ネジ取付け穴（１３ａ）にネジ込んで仮止めし、Ｃ型はさみ金具（１３）の下側ネジ取付け穴（１３ｂ）に、先端にストッパ（１４）を取付けた取付けガイド紐（１５）を取付け、ストッパ（１４）をスイッチ取付け金具（１２）の長穴（１２ｂ）に内側から通して取付けガイド紐（１５）を外側に引き出しておく。ストッパ（１４）は柔軟性のある素材で、長穴（１２ｂ）の巾よりも少しだけ大きくしてあるので入れる時は簡単に入るが抜けることがない。その上で壁（８）に明けた穴にＣ型はさみ金具（１３）を壁（８）の内側に入れてスイッチ取付け金具（１２）とで壁を挟み込むようにし、位置を調整してから上側の取付けネジ（１６）をある程度締めておく。次に外側に引き出しておいたストッパ（１４）を引っ張って取付けガイド紐（１５）を目一杯引き出す。これによりＣ型はさみ金具（１３）の下側ネジ取付け穴（１３ｂ）がスイッチ取付け金具（１２）の長穴（１２ｂ）の真中にくるので取付けネジ（１６）を簡単に取付けることができる。後は上下の取付けネジ（１６）を完全に締めて壁（８）に固定する。ストッパ（１４）を取付けた取付けガイド紐（１５）は、スイッチ器具の上からカバーを取付けるのでそのままにしておいても差し支えない。（図４）
【符号の説明】
【００１１】  １    コンセント
２    コンセント取付け金具Ａ
２ａ  長穴
３    コンセント取付け金具Ｂ
３ａ  長穴
４    Ｃ型はさみ金具
４ａ  上側ネジ取付け穴
４ｂ  下側ネジ取付け穴
５    ストッパ
６    取付けガイド紐
７    取付けネジ
８    壁
１１    スイッチ
１２    スイッチ取付け金具
１２ａ  長穴
１２ｂ  長穴
１３    Ｃ型はさみ金具
１３ａ  上側ネジ取付け穴
１３ｂ  下側ネジ取付け穴
１４    ストッパ
１５    取付けガイド紐
１６    取付けネジ
【図１】
0003170688.tif 000003
【図２】
0003170688.tif 000004
【図３】
0003170688.tif 000005
【図４】
0003170688.tif 000006
【手続補正書】
【提出日】平成23年7月6日(2011.7.6)
【手続補正１】
【補正対象書類名】実用新案登録請求の範囲
【補正対象項目名】全文
【補正方法】変更
【補正の内容】
【実用新案登録請求の範囲】
【請求項１】
コンセント取付け金具を取付けたコンセントとＣ型はさみ金具及び取付けネジで構成されたコンセント器具を壁に取付けるとき、コンセント取付け金具を壁の外側に取付け、Ｃ型はさみ金具を壁の内側に取付けて取付けネジで壁を挟み込んで取付けるが、上側の取付けネジは予めコンセント取付け金具の長穴を通してＣ型はさみ金具の上側ネジ取付け穴にねじ込んだ状態で壁に取付けるのに対し、下側の取付けネジはその後に手探りでＣ型はさみ金具の下側ネジ取付け穴を探すため取付けに時間がかかっていたので、下側の取付けネジの取付けを容易にするため、Ｃ型はさみ金具の下側ネジ取付け穴にストッパ付取付けガイド紐を取付けたことを特徴とする、壁取付け用コンセント器具。
【請求項２】
スイッチ取付け金具を取付けたスイッチとＣ型はさみ金具及び取付けネジで構成されたスイッチ器具を壁に取付けるとき、スイッチ取付け金具を壁の外側に取付け、Ｃ型はさみ金具を壁の内側に取付けて取付けネジで壁を挟み込んで取付けるが、上側の取付けネジは予めスイッチ取付け金具の長穴を通してＣ型はさみ金具の上側ネジ取付け穴にねじ込んだ状態で壁に取付けるのに対し、下側の取付けネジはその後に手探りでＣ型はさみ金具の下側ネジ取付け穴を探すため取付けに時間がかかっていたので、下側の取付けネジの取付けを容易にするため、Ｃ型はさみ金具の下側ネジ取付け穴にストッパ付取付けガイド紐を取付けたことを特徴とする、壁取付け用スイッチ器具。
【手続補正２】
【補正対象書類名】明細書
【補正対象項目名】全文
【補正方法】変更
【補正の内容】
【考案の詳細な説明】
【技術分野】
【０００１】  本考案は、石膏ボード等の壁取付け用コンセント器具及びスイッチ器具に関するものである。
【背景技術】
【０００２】  壁取付け用コンセント器具を壁に取付ける工事において、コンセントに取付けたコンセント取付け金具と壁の内側に入ってコンセント取付け金具とネジ止めで固定されるＣ型はさみ金具をネジ止めする場合に、従来はＣ型はさみ金具のネジ止め位置を手探りで探していたため、取付けに時間がかかっていた。
また、スイッチ器具においてもスイッチ取付け金具とＣ型はさみ金具とでスイッチ器具を壁に取付ける場合にもＣ型はさみ金具のネジ止め位置を手探りで探していたため、取付けに時間がかかっていた。
【考案の概要】
【考案が解決しようとする課題】
【０００３】  従来、壁取付け用コンセント器具を壁に取付ける工事において、コンセントに取付けたコンセント取付け金具と壁の内側に入ってコンセント取付け金具とネジ止めで固定されるＣ型はさみ金具をネジ止めする場合に、Ｃ型はさみ金具のネジ止め位置を手探りで探していたため、取付けに時間がかかっていたので、それを解決するためＣ型はさみ金具の下側ネジ取付け穴にストッパ付取付けガイド紐を取付けてその紐を引くだけでネジ穴合わせが簡単にできる壁取付け用コンセント器具を提供する。
また、スイッチ器具を壁に取付ける工事において、スイッチ取付け金具とＣ型はさみ金具とでスイッチ器具を壁に取付ける場合は、コンセント器具と同様にＣ型はさみ金具の下側ネジ取付け穴にストッパ付取付けガイド紐を取付けてその紐を引くだけでネジ穴合わせが簡単にできる壁取付け用スイッチ器具を提供する。
【課題を解決するための手段】
【０００４】  請求項１は、コンセント取付け金具を取付けたコンセントとＣ型はさみ金具及び取付けネジで構成されたコンセント器具を壁に取付けるとき、コンセント取付け金具を壁の外側に取付け、Ｃ型はさみ金具を壁の内側に取付けて取付けネジで壁を挟み込んで取付けるが、上側の取付けネジは予めコンセント取付け金具の長穴を通してＣ型はさみ金具の上側ネジ取付け穴にねじ込んだ状態で壁に取付けるのに対し、下側の取付けネジはその後に手探りでＣ型はさみ金具の下側ネジ取付け穴を探すため取付けに時間がかかっていた。
そこで下側の取付けネジの取付けを容易にするため、Ｃ型はさみ金具の下側ネジ取付け穴にストッパ付取付けガイド紐を取付けたことを特徴とする、壁取付け用コンセント器具である。
請求項２は、スイッチ取付け金具を取付けたスイッチとＣ型はさみ金具及び取付けネジで構成されたスイッチ器具を壁に取付けるとき、スイッチ取付け金具を壁の外側に取付け、Ｃ型はさみ金具を壁の内側に取付けて取付けネジで壁を挟み込んで取付けるが、上側の取付けネジは予めスイッチ取付け金具の長穴を通してＣ型はさみ金具の上側ネジ取付け穴にねじ込んだ状態で壁に取付けるのに対し、下側の取付けネジはその後に手探りでＣ型はさみ金具の下側ネジ取付け穴を探すため取付けに時間がかかっていた。
そこで下側の取付けネジの取付けを容易にするため、Ｃ型はさみ金具の下側ネジ取付け穴にストッパ付取付けガイド紐を取付けたことを特徴とする、壁取付け用スイッチ器具である。
【考案の効果】
【０００５】  従来、コンセント器具を壁に取付ける工事において、コンセントに取付けたコンセント取付け金具と壁の内側に取付けてコンセント器具を固定するＣ型はさみ金具のネジ止め位置を求めるのに手探りで探していたため、取付けに時間がかかっていたが、Ｃ型はさみ金具のネジ穴部にストッパ付取付けガイド紐を取付けてその紐を手繰り寄せるだけでネジ穴合わせができるので、コンセント器具の取り付け時間が著しく短縮される。
また、スイッチ器具を壁に取付ける工事において、スイッチ取付け金具とＣ型はさみ金具とでスイッチ器具を取付ける場合にも同様の問題があり、Ｃ型はさみ金具のネジ穴部にストッパ付取付けガイド紐を取付けてその紐を手繰り寄せるだけでネジ穴合わせができるので、スイッチ器具の取付け時間が著しく短縮される。
【図面の簡単な説明】
【０００６】
【図１】本考案のコンセント器具の分解斜視図
【図２】本考案のコンセント器具を壁に取り付けた状態を示す図
【図３】本考案のスイッチ器具の分解図
【図４】本考案のスイッチ器具を壁に取り付けた状態を示す図
【考案を実施するための形態】
【０００７】  請求項１のコンセント器具の構造を図１により説明する。
コンセント取付け金具Ａ（２）及びコンセント取付け金具Ｂ（３）を取付けたコンセント（１）、Ｃ型はさみ金具（４）、取付けネジ（７）及び本考案の先端にストッパ（５）を取付けた取付けガイド紐（６）をＣ型はさみ金具（４）の下側ネジ取付け穴（４ｂ）部に取付けた、壁取付け用コンセント器具である。
尚、Ｃ型はさみ金具（４）の上側ネジ取付け穴（４ａ）及び下側ネジ取付け穴（４ｂ）は、ネジ穴である。
【０００８】  本考案のコンセント器具を壁（８）に取付ける場合、コンセント（１）とコンセント取付け金具Ａ（２）及びコンセント取付け金具Ｂ（３）をネジ止めにより組付けた状態とした上、上側の取り付けネジ（７）をコンセント取付け金具Ａ（２）の長穴（２ａ）を通してＣ型はさみ金具（４）の上側ネジ取付け穴（４ａ）にねじ込んで仮止めし、Ｃ型はさみ金具（４）の下側ネジ取付け穴（４ｂ）に、先端にストッパ（５）を取付けた取付けガイド紐（６）を取付け、ストッパ（５）をコンセント取付け金具Ｂ（３）の長穴（３ａ）に内側から通して取付けガイド紐（６）を外側に引き出しておく。ストッパ（５）は柔軟性のある素材で、長穴（３ａ）の巾よりも少しだけ大きくしてあるので入れる時は簡単に入るが抜けることがない。その上で壁（８）に明けた穴にＣ型はさみ金具（４）を壁（８）の内側に入れてコンセント取付け金具Ａ（２）及びコンセント取付け金具Ｂ（３）とで壁を挟み込むようにし、位置を調整してから上側の取り付けネジ（７）をある程度締めておく。次に外側に引き出しておいたストッパ（５）を引っ張って取付けガイド紐（６）を目一杯引き出す。これによりＣ型はさみ金具（４）の下側ネジ取付け穴（４ｂ）がコンセント取付け金具Ｂ（３）の長穴（３ａ）の真中にくるので取付けネジ（７）を簡単に取付けることができる。後は上下の取付けネジ（７）を完全に締めて壁（８）に固定する。ストッパ（５）を取付けた取付けガイド紐（６）は、コンセント器具の上からカバーを取付けるのでそのままにしておいても差し支えない。（図２）
【０００９】  次に請求項２のスイッチ器具の構造を図３により説明する。
スイッチ（１１）を取付けたスイッチ取付け金具（１２）、Ｃ型はさみ金具（１３）、取付けネジ（１６）及び本考案の先端にストッパ（１４）を取付けた取付けガイド紐（１５）をＣ型はさみ金具（１３）の下側ネジ取付け穴（１３ｂ）部に取付けた、壁取付け用スイッチ器具である。
尚、Ｃ型はさみ金具（１３）の上側ネジ取付け穴（１３ａ）及び下側ネジ取付け穴（１３ｂ）はネジ穴である。
【００１０】  スイッチ（１１）を取付けたスイッチ取付け金具（１２）の上部の長穴（１２ａ）に取付けネジ（１６）を通してＣ型はさみ金具（１３）の上側ネジ取付け穴（１３ａ）にネジ込んで仮止めし、Ｃ型はさみ金具（１３）の下側ネジ取付け穴（１３ｂ）に、先端にストッパ（１４）を取付けた取付けガイド紐（１５）を取付け、ストッパ（１４）をスイッチ取付け金具（１２）の長穴（１２ｂ）に内側から通して取付けガイド紐（１５）を外側に引き出しておく。ストッパ（１４）は柔軟性のある素材で、長穴（１２ｂ）の巾よりも少しだけ大きくしてあるので入れる時は簡単に入るが抜けることがない。その上で壁（８）に明けた穴にＣ型はさみ金具（１３）を壁（８）の内側に入れてスイッチ取付け金具（１２）とで壁を挟み込むようにし、位置を調整してから上側の取付けネジ（１６）をある程度締めておく。次に外側に引き出しておいたストッパ（１４）を引っ張って取付けガイド紐（１５）を目一杯引き出す。これによりＣ型はさみ金具（１３）の下側ネジ取付け穴（１３ｂ）がスイッチ取付け金具（１２）の長穴（１２ｂ）の真中にくるので取付けネジ（１６）を簡単に取付けることができる。後は上下の取付けネジ（１６）を完全に締めて壁（８）に固定する。ストッパ（１４）を取付けた取付けガイド紐（１５）は、スイッチ器具の上からカバーを取付けるのでそのままにしておいても差し支えない。（図４）
【符号の説明】
【００１１】  １  コンセント
２  コンセント取付け金具Ａ
２ａ長穴
３  コンセント取付け金具Ｂ
３ａ長穴
４  Ｃ型はさみ金具
４ａ上側ネジ取付け穴
４ｂ下側ネジ取付け穴
５  ストッパ
６  取付けガイド紐
７  取付けネジ
８  壁
１１  スイッチ
１２  スイッチ取付け金具
１２ａ長穴
１２ｂ長穴
１３  Ｃ型はさみ金具
１３ａ上側ネジ取付け穴
１３ｂ下側ネジ取付け穴
１４  ストッパ
１５  取付けガイド紐
１６  取付けネジ